(57)【要約】本発明は、液体製品またはゲル状製品の用量測定のための装置に関し、この装置は、製品のレザバの頭部に係合する、軸方向に可動である分配機構の頭部（１）を備え、この装置は、出口の管路（１１）および用量測定チャンバ（２０）を備え、この用量測定チャンバは、一方で吸入弁（２２）によって、他方で棒（３１）が前記頭部（１）に接合され、排出弁（３２）を備えるピストンによって、用量を決定し、このピストン（３）の棒（３１）は、頭部（１）の下部位置でこの吸入弁（２２）の気密性の閉鎖を保証する、突出した下端部（３１ａ）からチャンバ（２０）の内部に延長することが特徴である。
2005506249.tif 000002
【特許請求の範囲】
【請求項１】
液体製品またはゲル状製品を用量測定するための装置であって、該装置は、製品のレザバ（Ｒ）に係合する軸方向に可動である分配機構の頭部（１）を備え、
該装置は、出口の管路（１１）および用量測定チャンバ（２０）を備え
該用量測定チャンバ（２０）は、一方で吸入弁（２２）によって、そして他方でピストン（３）によって用量が決定され、
該ピストン（３）の棒（３１）は、該頭部（１）に接合され、該ピストン（３）は排出弁（３２）を備え、
該ピストン（３）の棒（３１）は、該頭部（１）の下部位置で、該吸入弁（２２）の気密性の閉鎖を保証する突出した下部端（３１ａ）から該チャンバ（２０）の内部に伸び、
該チャンバ（２０）は、レザバ（Ｒ）の縁に引っかけられた上部フランジ（２１）を備える尖頭円筒形の軸受（２）の中に設置され、
該分配機構の頭部（１）は、第１の固定手段（１２ａ）を備える外側面スカート（１２）を備えることを特徴とし、
該第１の固定手段（１２ａ）は、下部位置へ該頭部を固定するための該フランジ上に設置される第２の下部固定手段（２１ｂ）とラチェット機構により協働し得、待場の前の高さの位置に該頭部を保持するための第２の上部固定手段（２１ａ）と協働し得、
該装置は、分配機構の該頭部の変位を戻す手段を含まない、ことを特徴とする、装置。
【請求項２】
前記第１の固定手段（１２ａ）は、前記外側面スカート（１２）の下部に形成されることを特徴とする、請求項１に記載の装置。
【請求項３】
前記第１の固定手段は、固定リブ（１２ａ）によって形成され、他方、前記第２の下部固定手段は、下部縮管部（２１ｂ）によって形成されることを特徴とする、請求項１または２に記載の装置。
【請求項４】
前記第２の上部固定手段は、上部輪部（２１ａ）によって形成されることを特徴とする、請求項１〜３のいずれかに記載の装置。
【請求項５】
前記外側面スカート（１２）は、前記分配機構の頭部の下部位置で、前記輪部（２１ａ）とラチェット機構で協働するのに適した環形溝（１２ｂ）を提供することを特徴とする、請求項４に記載の装置。
【請求項６】
前記フランジ（２１）は、必要に応じて、前記軸受（２）の外壁部上に設置される溝を通って伸びる、通気孔開口部（２１０）を備えることを特徴とする、請求項１〜５のいずれかに記載の装置。
【請求項７】
前記頭部（１）は、前記スカート（１２）と同軸であり、そして該頭部（１）の下部位置で前記通気孔開口部（２１０）を閉鎖するための円柱状内壁（１４）を備えるということを特徴とする、請求項６に記載の装置。
【請求項８】
前記通気孔開口部（２１０）は、前記軸受（２）の本体と連結される肩部（２１２）を通り抜けて形成されるということを特徴とする、請求項６または７に記載の配置。
【請求項９】
前記壁部は、その中に前記肩部（２１２）が形成され、前記分配機構の頭部（１）の下部位置で、前記円柱状の壁部（１４）によって印加される圧力の効果により、弾性的に変形するのに適することを特徴とする、請求項８に記載の装置。
【請求項１０】
前記ピストン（３）の前記棒（３１）は、上部において、前記排出弁（３２）が収容される、前記頭部の空洞部（１０）に通じる、軸排出管路（３０）を備えることを特徴とする、請求項１〜９のいずれかに記載の装置。
【請求項１１】
前記空洞部（１０）は、前記頭部（１）の下部に連結される鞘部（１３）の中に設置され、前記ピストン（３）の前記棒（３１）の上端部に同軸に接合されることを特徴とする、請求項１０に記載の装置。
【請求項１２】
前記空洞部（１０）の上壁部は、製品の出口管路（１１）に連絡する導管（１０ａ）を備えることを特徴とする、請求項１０または１１に記載の装置。
【請求項１３】
前記吸入弁（２２）は、前記チャンバ（２０）の内部に突出する軸チューブ（２３）を備え、該チューブにおいて、前記頭部（１）の下部位置で前記ピストン（３）の前記棒（３１）の前記下端部（３１ａ）が係合されるとことを特徴とする、請求項１〜１２のいずれかに記載の装置。
【請求項１４】
前記チューブ（２３）の前記側壁部は、製品の通過のための、少なくとも１つの弁口（２３ａ）を備えることを特徴とする、請求項１３に記載の装置。
【請求項１５】
前記吸入弁（２２）および／または前記排出弁（３２）は、可動性の閉鎖球を備えることを特徴とする、請求項１〜１４のいずれかに記載の装置。
【発明の詳細な説明】
【技術分野】
【０００１】
本発明は、液体製品またはゲル状製品の用量測定のための装置に関する。
【０００２】
より詳細には、本発明の装置は、製品のレザバの頭部に係合する軸方向に可動である分配機構の頭部を備える形式のものであり、この装置は、出口の管路およびチャンバを備え、このチャンバは、一方で吸入弁によって、および他方でピストンによって用量を決定する。このピストンの棒は、上記頭部に接合され、排出弁を備える。
【背景技術】
【０００３】
しかし、この形式の装置は、特に、排出弁が、上部のチャンバの気密性を保証し、維持せねばならず、この装置が停止位置にある場合、このチャンバは、常に製品で満たされていなければならないために複雑である。
【０００４】
さらに、この装置は、一般的に、金属製の螺旋状のバネで構成される、正常な高さの位置に頭部を戻す手段を包含する。
【０００５】
このバネは、再生利用の問題以外に、この装置の性能または閉鎖性を損なわずに、機能的な様式で配置するのが困難な部品である。
【０００６】
ＥＰ０  ９７４  ４０１は、この形式の装置を開示し、この装置は、頭部を高い位置に戻すバネを備え、このバネにおいて、このピストンの棒は、突出した下端部を通ってチャンバの内部に伸び、頭部の下部位置での吸入弁による機密性の閉鎖を保証し、このバネにおいて、このチャンバは、レザバの縁に引っかけられる上部フランジを備える尖頭円筒形の軸受の中に設置される。
【０００７】
この公知の装置では、頭部は、フランジによって、レザバに関して障壁よりも高い位置で保持される。
【０００８】
この頭部は、頭部上における支えおよびそのフランジの回転によって、使用される差込式のシステムによって、下部位置に固定される。しかし、この下部位置において、この頭部に垂直である軽快なストローク（ｄｅｂａｔｔｅｍｅｎｔ）が可能であり、そして弁の閉鎖の気密性が、常に保証されないという危険性がある。さらに、この頭部が、上部の位置にある場合、この頭部は、下方向に容易に移動され得、装置の不都合な作動を引き起こし得る。
【発明の開示】
【発明が解決しようとする課題】
【０００９】
本発明は、満足のいく仕方でこの技術的課題を解決することを課題とする。
【課題を解決するための手段】
【００１０】
この課題は、分配機構の頭部が、頭部を下の位置に固定するためにフランジ上に設置される第２の下部固定手段とラチェット機構で協働し得、待場に比べて高い位置に頭部を保持するために第２の上部固定手段と協働し得る、第１の固定手段を備える外側面スカートを包含すること、ならびにこの装置が、分配機構の頭部の変位を戻す手段を含まないことによって、本発明により解決される。
【００１１】
この構成のために、たとえ頭部が高い位置にあり、この頭部上に、下への変位を導く意図しない支えを与えたとしても、この頭部は、用量測定チャンバの新規の充填を避けるために、単純なラチェット機構によって下部位置に自動的に固定される。
【００１２】
有利には、第１の固定手段は、外側面スカートの下部に形成される。
【００１３】
有利には、第１の固定手段は、固定リブによって形成され、他方第２の下部固定手段は、下部縮管部によって形成される。
【００１４】
第２の上部固定手段は、それらについては、有利には、固定リブを留めるのに適した上部輪部によって、形成される。
【００１５】
このリブおよびこの輪部は、フランジに対して頭部のスカートを滑らせる場合、頭部の変位について決定される最低限の応力の印加を必要とする摩擦力を発生するように大きさを決定され得る。
【００１６】
異なる実施形態において、第２の上部固定手段は、ラチェット機構で、頭部の高い位置で第１の固定手段と協働し得る。
【００１７】
例えば、この第２の上部固定手段は、下部縮管部に類似する上部縮管部によって形成され得る。
【００１８】
好ましくは、上記フランジは、必要に応じて軸受の外壁上に設置される溝を通って伸びる、通気孔開口部を備える。
【００１９】
この場合において、通気孔開口部は、有利には、軸受の本体と連結される肩部を通り抜けて配置される。さらに、有利には、上記頭部は、上記スカートと同軸で、そしてこの頭部の下部位置で通気孔開口部を閉鎖するような円柱状内壁を包含する。
【００２０】
別の特徴によると、このピストンの棒は、高い部分において、排出弁が収容される、上記頭部の空洞部に通じる軸排出管路を備える。
【００２１】
異なる実施形態によると、上記空洞部は、頭部の下部に連結される鞘部の中に設置され、そしてそのピストンの棒の上端部に同軸に接合される。
【００２２】
好ましくは、上記空洞部の上壁部は、製品の出口管路と連絡する導管を備える。
【００２３】
さらに別の特徴によると、吸入弁は、チャンバの内部に突出する軸チューブを備え、そのチューブにおいて、頭部の下部位置でピストンの棒の下端部に係合する。
【００２４】
異なる実施形態によると、上記チューブの側壁部は、製品の通過のための少なくとも１つの弁口を備える。
【００２５】
別の異なる実施形態によると、吸入弁および／または排出弁は、可動性の閉鎖球を備える。
【００２６】
本発明の装置は、バネ形式で戻す何らかの手段を備えるいくつかの部品で構成される単純な構造によって、解放される。さらに、本装置は、製作が容易で、従って、信頼性が高くかつ経済的である。
【００２７】
本装置は、薬学の分野（特にシロップの用量測定および分配を可能にする）、ならびに化粧品分野または食品分野において適用される。
【００２８】
図１に示される装置は、液体製品またはゲル状製品の用量を決定するように構成される。そのために、本装置は、製品のレザバＲに係合する、軸方向に可動の分配機構の頭部１を包含する（図１には、分配機構の頸部Ｃのみが、示される）。頭部１は、製品の出口管路１１を備える。
【００２９】
本装置はまた、用量測定チャンバ２０を含み、このチャンバは、一方では、吸入弁２２によって、および他方では、その棒３１が頭部１に接合されるピストン３によって用量が決定される。このピストン３は、排出弁３２を備える。
【００３０】
代表的な実施形態において、吸入弁および排出弁はそれぞれ、可動性の閉鎖球を備える。チャンバ２０は、ここで、尖頭円筒形体の軸受２の上に設置され、この軸受２は、レザバの頸部Ｃの縁の上に引っかけられる上部フランジ２１を備える。
【００３１】
ピストン３の棒３１は、頭部１の下部位置において、吸入弁２２の閉鎖を保証する、突出した下端部３１ａを経てチャンバ２０の内部に伸びる。
【００３２】
頭部１は、外側面スカート１２を備え、このスカートは、このスカートの下部に固定部であるリブ１２ａを備え、このリブは、フランジ２１の外壁部の上に設置された固定部の２つの止め具と協働し得る。
【００３３】
これら２つの止め具はそれぞれ、上方への頭部のストローク（ｃｏｕｒｓｅ）を制限する上部輪部２１ａ、および取り外し可能なラチェット機構でリブ１２ａの下部位置への係留を保証する下部縮管部２１ｂによって形成される。
【００３４】
スカート１２の内部周囲は、輪部２１ａが、ラチェット機構で頭部１の下部位置へ入り込む環形溝１２ｂを提供する。
【００３５】
この下部位置において、ピストン３１の端部３１ａは、吸入弁２２に対して非常に軽快に弾性衝突し得、そして／または吸入弁２の弁座２ａは、この吸入弁の密閉装置を保証するために、軽快に弾性的に変形し得る。
【００３６】
棒１の軸方向の変位は、２つの止め具２１ａ、２１ｂの間のフランジ２１の外壁部上において、復元するための何らかの手段およびリブ１２ａの滑動接触によって誘導される方法がない場合、押引形態での引っ張りまたは手動支持によって達成される。
【００３７】
フランジ２１は、万一の場合に備えて、通気孔開口部２１０を備える。この開口部は、軸受２の本体と連結する肩部２１２を通り抜けて配置される。
【００３８】
頸部Ｃが軸受２の本体とフランジ２１の側面壁部との間に、軽く締め付けられた状態で閉じ込められる場合、頸部Ｃは、軸受２の本体の外壁部上に形成された垂直方向の溝（示さず）によって、開口部２１０が伸びるように構成される。
【００３９】
代表的な実施形態において、この溝は、開口部２１０を介してレザバ中の空気が逆戻りして通過することを可能にする挿入された空間が存在するという理由で、必要というわけではない。
【００４０】
同様に、一方でスカート１２の内壁部、特にリブ１２ａと、他方でフランジ２１の外壁部の間に存在する非常に緩い遊びは、空気の逆戻りを可能にするのに十分である。
【００４１】
頭部１は、頭部１の下部位置に、スカート１２と同軸でその放射方向内側に位置し、通気孔開口部２１０の閉鎖するように構成される円筒状内壁部１４を備える。
【００４２】
そのために、壁部１４は、開口部２１０と垂直に配置され、そしてこの壁部の厚さは、開口部２１０の直径を上回る。
【００４３】
頭部１の下部位置において、中に肩部２１２が形成される壁部は、開口部２１０の閉鎖を保証するために、円柱状壁部１４に対して印加された圧力によって、容器の内部の方へ、弾性的に軽く変形し得る。
【００４４】
ピストン３の軸３１は、その全長にわたって、上部において、球を使用した排出弁３２を収容する、頭部１の空洞部１０を通過する軸排出管路３０を備える。管路３０の下端部は、チャンバ２０からの製品の排出口の範囲を定める。
【００４５】
空洞部１０は、頭部１の下部に連結した鞘部１３の中に設置されており、棒３１の上端部に同軸に接合される。
【００４６】
空洞部１０の上壁部は、製品の出口管路１１と連絡する導管網１０ａを備え、製品を排出する圧力下で分配する場合（図２Ｃを参照のこと）、弁の球３２が、上記壁部に対して押し付けられる場合、製品の通過が可能になる。
【００４７】
吸入弁２２は、チャンバ２０の内側に突出する軸チューブ２３を備え、頭部１の下部位置でピストン３の棒３１の下端部３１ａは、このチューブの中に係合する。
【００４８】
半径方向の締め付けを有さずに達成されるこの係合は、弁の球２２に対して棒３１の端部３１ａが支えられるまで続く。チューブ２３の底での球の固定に対応する気密位置での弁の閉鎖は、図２Ａおよび２Ｄに示されるように、フランジ２１の縮管部２１ｂにおけるリブ１２ａのラチェット機構によって保証される。
【００４９】
チューブ２３の側壁部は、少なくとも、図２Ｂに示すような頭部１の上昇によって用量室を充填し、製品を吸引する場合、製品が横断して通過することを可能にする弁口２３ａを備える。
【００５０】
本発明は、図面を参照して進行する明細書を読むことによって理解される。これらの図では以下のとおりである。
【図面の簡単な説明】
【００５１】
【図１】図１は、本発明の装置の１つの実施形態の断面図を示す。
【図２】図２Ａ〜図２Ｄは、分配のいくつかの局面で、製品のレザバの上に備え付けられた図１の装置の断面図を示す。
【国際公開パンフレット】
2005506249.tif 000003
2005506249.tif 000004
2005506249.tif 000005
2005506249.tif 000006
2005506249.tif 000007
2005506249.tif 000008
2005506249.tif 000009
2005506249.tif 000010
2005506249.tif 000011
2005506249.tif 000012
2005506249.tif 000013
2005506249.tif 000014
2005506249.tif 000015
2005506249.tif 000016
【国際調査報告】
2005506249.tif 000017
2005506249.tif 000018
2005506249.tif 000019
2005506249.tif 000020
2005506249.tif 000021
2005506249.tif 000022